(57)【要約】【課題】放送波の受信状況に応じたサービスリストを作成する。【解決手段】放送受信機は、受信帯域範囲内の全てのチャンネルについて受信可能なサービスの有無を検出し受信可能な第１のサービスリストを作成するチャンネルスキャン手段と、放送エリアと当該放送エリアに関連づけられた少なくとも１つの第２のサービスリストを格納するサービスリスト格納手段と、第１のサービスリストと第２のサービスリストとを統合し統合サービスリストを作成するサービスリスト統合手段とを備えている。サービスリスト統合手段は、第１のサービスリストと第２のサービスリストとに、同一のサービスが同一の物理チャンネルで登録されている場合は、一つのサービス情報に統合する。【選択図】図１
2010220208.tif 000002
【特許請求の範囲】
【請求項１】
放送波を受信し、映像、音声またはデータを再生する放送受信機であって、
受信帯域範囲内の全てのチャンネルについて受信可能なサービスの有無を検出し、受信可能な第１のサービスリストを作成するチャンネルスキャン手段と、
放送エリアと、当該放送エリアに関連づけられた少なくとも１つの第２のサービスリストを格納するサービスリスト格納手段と、
前記第１のサービスリストと前記第２のサービスリストとを統合し、統合サービスリストを作成するサービスリスト統合手段とを備え、
前記サービスリスト統合手段は、前記第１のサービスリストと前記第２のサービスリストとに、同一のサービスが同一の物理チャンネルで登録されている場合は、一つのサービス情報に統合する、放送受信機。
【請求項２】
前記放送エリアの選択は、前記サービスリスト格納手段に格納されている放送エリアの中から選択可能である、請求項１に記載の放送受信機。
【請求項３】
前記統合サービスリストをプリセットリストとして保存可能なメモリ手段をさらに備える、請求項１に記載の放送受信機。
【請求項４】
前記サービスリスト統合手段は、
前記第１のサービスリストに物理チャンネルが異なる同一のサービスが複数登録されている場合は、前記物理チャンネルの値が小さいサービス情報を前記統合サービスリストに優先的に登録する、請求項１記載の放送受信機。
【請求項５】
前記サービスリスト統合手段は、
前記第１のサービスリストと前記第２のサービスリストとに、同一のサービスで異なる物理チャンネルのサービス情報が登録されている場合は、
前記第２のサービスリストと同一の物理チャンネルの同一サービスが前記第１のサービスリストに登録されていれば、このサービス情報を前記統合サービスリストに優先的に登録し、
前記第２のサービスリストと同一の物理チャンネルの同一サービスが前記第１のサービスリストに登録されていない場合は、前記第１のサービスリストに登録されている前記異なる物理チャンネルのサービス情報を、前記統合サービスリストに優先的に登録する、請求項１記載の放送受信機。
【請求項６】
放送波を受信し、映像、音声またはデータを再生する放送受信方法であって、
受信帯域範囲内の全てのチャンネルについて受信可能なサービスの有無を検出し、
受信可能な第１のサービスリストを作成し、
放送エリアに関連づけられた第２のサービスリストを記憶手段から読み出し、
前記第１のサービスリストと前記第２のサービスリストとを統合して、統合サービスリストを作成する手順を含み、
前記統合サービスリストを作成する際、前記第１のサービスリストと前記第２のサービスリストとに同一のサービスが同一の物理チャンネルで登録されている場合は、一つのサービス情報に統合する、放送受信方法。
【請求項７】
前記放送エリアの選択は、前記サービスリスト格納手段に格納されている放送エリアの中から選択可能である、請求項６に記載の放送受信方法。
【請求項８】
前記統合サービスリストをプリセットリストとして保存する手順をさらに含む、請求項６に記載の放送受信方法。
【請求項９】
前記統合サービスリストを作成する際、前記第１のサービスリストに物理チャンネルが異なる同一のサービスが複数登録されている場合は、前記物理チャンネルの値が小さいサービス情報を前記統合サービスリストに優先的に登録する、請求項６記載の放送受信方法。
【請求項１０】
前記統合サービスリストを作成する際、前記第１のサービスリストと前記第２のサービスリストとに、同一のサービスで異なる物理チャンネルのサービス情報が登録されている場合は、
前記第２のサービスリストと同一の物理チャンネルの同一サービスが前記第１のサービスリストに登録されていれば、このサービス情報を前記統合サービスリストに優先的に登録し、
前記第２のサービスリストと同一の物理チャンネルの同一サービスが前記第１のサービスリストに登録されていない場合は、前記第１のサービスリストに登録されている前記異なる物理チャンネルのサービス情報を、前記統合サービスリストに優先的に登録する、請求項６記載の放送受信方法。
【発明の詳細な説明】
【技術分野】
【０００１】
本発明は、放送受信機、放送受信方法に関する。
【背景技術】
【０００２】
近年、テレビジョン放送は、放送波がデジタル化されている。また、地上波デジタルテレビ放送のスタートに伴い、携帯電話端末または移動体端末向けの１セグメント部分受信サービス（以下「ワンセグ放送」と呼ぶ）も始まっている。携帯電話端末または移動体端末は、ワンセグ放送を受信可能な受信装置を搭載した機種が増えている。
【０００３】
携帯電話端末または移動体端末においてワンセグ放送を受信する際、受信するチャンネルの設定を行う必要がある。特許文献１は、携帯型地上波デジタル放送受信機を開示している。特許文献１は、１３チャンネルから６２チャンネルまでを順次スキャンしてサービスリストを作成するチャンネルスキャン機能を開示している。また、特許文献１は、エリア名と、各エリアに対応したサービスリストとを登録可能なフラッシュメモリを開示している。
【先行技術文献】
【特許文献】
【０００４】
【特許文献１】特開２００６−３２５０３２号公報
【発明の概要】
【発明が解決しようとする課題】
【０００５】
しかしながら、チャンネルスキャン機能を実行してサービスリストを作成する方法では、チャンネルスキャンを実行したその時に受信できたサービスしか登録できない。すなわち、任意のサービスリストに対応した地域に放送受信機を設置しているにもかかわらず、放送波の強度が弱いなどの理由により、前記任意のサービスリストに含まれている放送波を受信できなかった場合は、サービスリストにサービスが登録されずにチャンネルスキャン機能が終了してしまうことがある。
【０００６】
また、放送エリア名を選択して、フラッシュメモリに登録されているサービスリストを読み出す方法では、受信場所が複数の放送エリアの境目であった場合などでは、その受信場所で最適なリストをユーザが選択できるかどうか定かではない。例えば、互いに隣接した放送エリアＸと放送エリアＹとにおいて、放送エリアＸ内における放送エリアＹとの境目近傍で放送波を受信しようとした場合、放送エリアＹに対応したサービスリストに登録されているサービスを良好に受信できるにもかかわらず、ユーザーは放送エリアＸに対応したサービスリストを選択する可能性が高い。したがって、放送エリア名を選択してサービスリストを読み出す方法では、受信場所に最適なサービスリストを選択できるとは限らない。
【課題を解決するための手段】
【０００７】
本願の放送受信機は、放送波を受信し、映像、音声またはデータを再生する放送受信機であって、受信帯域範囲内の全てのチャンネルについて受信可能なサービスの有無を検出し、受信可能な第１のサービスリストを作成するチャンネルスキャン手段と、放送エリアと、当該放送エリアに関連づけられた少なくとも１つの第２のサービスリストを格納するサービスリスト格納手段と、前記第１のサービスリストと前記第２のサービスリストとを統合し、統合サービスリストを作成するサービスリスト統合手段とを備え、前記サービスリスト統合手段は、前記第１のサービスリストと前記第２のサービスリストとに、同一のサービスが同一の物理チャンネルで登録されている場合は、一つのサービス情報に統合する。
【０００８】
本願の放送受信方法は、放送波を受信し、映像、音声またはデータを再生する放送受信方法であって、受信帯域範囲内の全てのチャンネルについて受信可能なサービスの有無を検出し、受信可能な第１のサービスリストを作成し、放送エリアに関連づけられた第２のサービスリストを記憶手段から読み出し、前記第１のサービスリストと前記第２のサービスリストとを統合して、統合サービスリストを作成する手順を含み、前記統合サービスリストを作成する際、前記第１のサービスリストと前記第２のサービスリストとに同一のサービスが同一の物理チャンネルで登録されている場合は、一つのサービス情報に統合する。
【発明の効果】
【０００９】
本発明の放送受信機は、チャンネルスキャン時にたまたま受信状態が悪く受信出来ずに
登録されないような場合でも受信地域に関連づけられた既定のサービスリストから登録さ
れ、また逆にユーザが適切でない受信地域を選択してしまった場合や隣接する地域の放送
波が届いている場合であっても、その受信場所で受信出来たサービスがサービスリストに
登録されるため、ユーザの受信機会逸失を極力避けることが出来るようになる。
【図面の簡単な説明】
【００１０】
【図１】実施の形態にかかる放送受信機のブロック図
【図２Ａ】実施の形態にかかる放送受信機のプリセットリストへのサービスリストの登録動作を示すフローチャート
【図２Ｂ】サービスリストの統合処理を示すフローチャート
【図３Ａ】実施の形態にかかる放送受信機のサービスリストの一例を示す模式図
【図３Ｂ】実施の形態にかかる放送受信機のサービスリストの一例を示す模式図
【図３Ｃ】実施の形態にかかる放送受信機のサービスリストの一例を示す模式図
【図４Ａ】実施の形態にかかる放送受信機のサービスリストの一例を示す模式図
【図４Ｂ】実施の形態にかかる放送受信機のサービスリストの一例を示す模式図
【図４Ｃ】実施の形態にかかる放送受信機のサービスリストの一例を示す模式図
【図５Ａ】サービスリストの一例を示す模式図
【図５Ｂ】サービスリストの一例を示す模式図
【図５Ｃ】サービスリストの一例を示す模式図
【発明を実施するための形態】
【００１１】
放送受信機は、放送波を受信し、映像、音声またはデータを再生する放送受信機であって、受信帯域範囲内の全てのチャンネルについて受信可能なサービスの有無を検出し、受信可能な第１のサービスリストを作成するチャンネルスキャン手段と、放送エリアと、当該放送エリアに関連づけられた少なくとも１つの第２のサービスリストを格納するサービスリスト格納手段と、前記第１のサービスリストと前記第２のサービスリストとを統合し、統合サービスリストを作成するサービスリスト統合手段とを備え、前記サービスリスト統合手段は、前記第１のサービスリストと前記第２のサービスリストとに、同一のサービスが同一の物理チャンネルで登録されている場合は、一つのサービス情報に統合する。
【００１２】
これにより、チャンネルスキャン時にたまたま受信状態が悪く受信できずに登録されないような場合であっても、受信地域に関連づけられた既定のサービスリストから登録することができるとともに，既定のサービスリストに登録されていないサービスであってもその受信場所で受信できるサービスを一つのサービスリストとして登録することができる。また、全く同じサービスは重複させずに保持でき、無駄がなく分かりやすいサービスリストを作成することができる。
【００１３】
放送受信機において、前記放送エリアの選択は、前記サービスリスト格納手段に格納されている放送エリアの中から選択可能である構成とすることができる。これにより、受信地域に関連づけられた既定の複数のサービスリストからユーザが適切に選択することができる。
【００１４】
放送受信機において、前記統合サービスリストをプリセットリストとして保存可能なメモリ手段をさらに備える構成とすることができる。これにより、新たに作成されたサービスリストをプリセットリストとして保持することができ、次回使用時にサービスリストの設定をする必要がなくなる。
【００１５】
放送受信機において、前記第１のサービスリストに物理チャンネルが異なる同一のサービスが複数登録されている場合は、前記物理チャンネルの値が小さいサービス情報を前記統合サービスリストに優先的に登録する構成とすることができる。これにより、同一サービスが異なる物理チャンネルで受信できたときには、受信可能性の高い順番に並ぶ，あるいは受信可能性のより高い物理チャンネルに集約されるため，わかりやすく使い勝手の良いサービスリストを作成することができる。
【００１６】
放送受信機において、前記サービスリスト統合手段は、前記第１のサービスリストと前記第２のサービスリストとに、同一のサービスで異なる物理チャンネルのサービス情報が登録されている場合は、前記第２のサービスリストと同一の物理チャンネルの同一サービスが前記第１のサービスリストに登録されていれば、このサービス情報を前記統合サービスリストに優先的に登録し、前記第２のサービスリストと同一の物理チャンネルの同一サービスが前記第１のサービスリストに登録されていない場合は、前記第１のサービスリストに登録されている前記異なる物理チャンネルのサービス情報を、前記統合サービスリストに優先的に登録する構成とすることができる。これにより、同一サービスが異なる物理チャンネルで受信できたときには、受信可能性の高い順番に並ぶ，あるいは受信可能性のより高い物理チャンネルに集約されるため，わかりやすく使い勝手の良いサービスリストを作成することができる。
【００１７】
放送受信方法は、放送波を受信し、映像、音声またはデータを再生する放送受信方法であって、受信帯域範囲内の全てのチャンネルについて受信可能なサービスの有無を検出し、受信可能な第１のサービスリストを作成し、放送エリアに関連づけられた第２のサービスリストを記憶手段から読み出し、前記第１のサービスリストと前記第２のサービスリストとを統合して、統合サービスリストを作成する手順を含み、前記統合サービスリストを作成する際、前記第１のサービスリストと前記第２のサービスリストとに同一のサービスが同一の物理チャンネルで登録されている場合は、一つのサービス情報に統合する。
【００１８】
放送受信方法において、前記放送エリアの選択は、前記サービスリスト格納手段に格納されている放送エリアの中から選択可能である方法とすることができる。
【００１９】
放送受信方法において、前記統合サービスリストをプリセットリストとして保存する手順をさらに含む方法とすることができる。
【００２０】
放送受信方法において、前記統合サービスリストを作成する際、前記第１のサービスリストに物理チャンネルが異なる同一のサービスが複数登録されている場合は、前記物理チャンネルの値が小さいサービス情報を前記統合サービスリストに優先的に登録する方法とすることができる。
【００２１】
放送受信方法において、前記統合サービスリストを作成する際、前記第１のサービスリストと前記第２のサービスリストとに、同一のサービスで異なる物理チャンネルのサービス情報が登録されている場合は、前記第２のサービスリストと同一の物理チャンネルの同一サービスが前記第１のサービスリストに登録されていれば、このサービス情報を前記統合サービスリストに優先的に登録し、前記第２のサービスリストと同一の物理チャンネルの同一サービスが前記第１のサービスリストに登録されていない場合は、前記第１のサービスリストに登録されている前記異なる物理チャンネルのサービス情報を、前記統合サービスリストに優先的に登録する方法とすることができる。
【００２２】
（実施の形態）
〔１．放送受信機の構成〕
携帯型の放送受信機において、サービスを受信して再生するためには、主に２つの方法がある。第１のチャンネル選択方法は、ユーザが物理チャンネルを順次選択して受信可能なサービスを選択する方法である。第２のチャンネル選択方法は、任意の受信場所で受信可能なサービスをリストアップして、放送受信機内のメモリにプリセットリストとして登録しておき、ユーザがプリセットリストの中から任意のサービスを選択する方法である。
【００２３】
受信可能なサービスは、地域や放送エリアによって異なる。したがって、携帯型の放送受信機は、プリセットリストとして複数のサービスリストを、当該放送受信機に内蔵しているフラッシュメモリに格納することが多い。
【００２４】
プリセットリストの登録方法は、２つの方法がある。
【００２５】
第１のプリセットリスト登録方法は、チャンネルスキャンを行って現在の受信場所で受信可能なサービスを検出して、リストを作成し、作成したリストを放送受信機に内蔵されているフラッシュメモリに登録する方法である。例えばワンセグ放送では、まずＵＨＦ帯域（UHF:Ultra High Frequency）の１３チャンネルから６２チャンネルまでの物理チャンネルについて受信可能かを順次スキャンする。次に、受信できた物理チャンネル及びそれに対応したサービスを含むリストを作成する。次に、作成したリストを、プリセットリストとして放送受信機のフラッシュメモリに登録する。特開２００６−３２５０３２号公報は、チャンネルスキャンを実行し，サービスリストを作成し、作成したサービスリストとユーザにより選択されたエリアとをメモリに登録する構成を開示している。
【００２６】
第２のプリセットリスト登録方法は、放送エリア毎に、受信可能なサービス及び物理チャンネルのリストを、予めプリセットリストとして放送受信機に登録する方法である。具体的には、まず、受信対象とする放送のサービスエリア内の主要な地域について、それぞれデータテーブルを用意する。次に、あるサービスが放送対象地域とするデータテーブルにそのサービスを登録してあらかじめリスト化しておく。次に、ユーザが前記のいずれかの地域を選択することで、その地域を放送対象とするサービスをプリセットリストに登録する。
【００２７】
図５Ａは、ワンセグ放送における放送エリアＸのサービスリストの例を示す。図５Ｂは、放送エリアＹのサービスリストの例を示す。図５Ｃは、放送エリアＺのサービスリストの例を示す。図５Ａ〜図５Ｃにおいて、放送局Ａ〜Ｆは広域局であるため、放送局Ａ〜Ｆに対応したサービス情報は放送エリアＸ、Ｙ、Ｚそれぞれのサービスリストに登録されている。一方、図５Ａに示す放送局Ｇは、放送エリアＸを放送対象地域とする放送局であるため、放送局Ｇに対応したサービス情報は放送エリアＸのサービスリストにしか登録されていない。図５Ｂに示す放送局Ｈは、放送エリアＹを放送対象地域とする放送局であるため、放送局Ｈに対応したサービス情報は放送エリアＹのサービスリストにしか登録されていない。図５Ｃに示す放送局Ｉは、放送エリアＺを放送対象地域とする放送局であるため、放送局Ｉに対応したサービス情報は放送エリアＺのサービスリストにしか登録されていない。このように、サービスリストは、放送エリア毎に作成することができる。
【００２８】
ただし、放送エリアが広い場合、一つの中継局で一つの放送エリアの全域に放送波を送出するのは難しいため、通常は複数の中継局が一つの放送エリアの全域に放送波を送出する。この場合、同じサービスであっても物理チャンネルが変わることがあるため、一つの放送エリアを複数のエリアに分けて、分けたエリア毎にそれぞれ物理チャンネルの異なる中継局のサービスリストを持つことがある。しかし、中継局は、かなり数多く設置されているため、全ての中継局のサービスリストをフラッシュメモリに格納するには大容量のフラッシュメモリが必要となる。したがって、主要な中継局のサービスリスト、もしくは主要な放送エリアのみのサービスリストをフラッシュメモリに格納することが多い。
【００２９】
本実施の形態にかかる放送受信機は、上記の問題を解決することが可能である。
【００３０】
図１は、実施の形態における携帯型の放送受信機のブロック図である。図１に示す放送受信機は、受信システム１、ＣＰＵ１８（CPU:Central Processing Unit）、操作部１９、およびフラッシュメモリ２０を備えている。受信システム１は、アンテナ１０、チューナ１１、デマルチプレクサ１２、ビデオデコーダ１３、オーディオデコーダ１４、増幅器１５、表示器１６、およびスピーカ１７を備えている。
【００３１】
アンテナ１０は、電波を受信可能である。チューナ１１は、アンテナ１０が受信した電波を復調して信号を取り出すことができる。デマルチプレクサ１２は、チューナ１１が取り出した信号をビデオストリームとオーディオストリームとに分けることができる。ビデオデコーダ１３は、デマルチプレクサ１２から出力されるビデオストリームをビデオ信号に変換することができる。オーディオデコーダ１４は、デマルチプレクサ１２から出力されるオーディオストリームをオーディオ信号に変換することができる。表示器１６は、ビデオデコーダ１３から出力されるビデオ信号を表示することができる。増幅器１５は、オーディオデコーダ１４から出力されるオーディオ信号を増幅することができる。スピーカ１７は、増幅器１５で増幅されたオーディオ信号を音として放出することができる。ＣＰＵ１８は、受信システム１を制御することができる。フラッシュメモリ２０は、制御プログラムおよび各種データを保存することができる。ＲＡＭ２１は、ＣＰＵ１８が各種処理を実行する際に、一時的にデータを格納することができる。操作部１９は、ユーザによる放送受信機の操作を受け付ける。
【００３２】
フラッシュメモリ２０は、制御プログラム格納領域２０ａ、データテーブル格納領域２０ｂ、およびプリセットリスト格納領域２０ｃを備えている。制御プログラム格納領域２０ａは、放送受信機を制御するためのプログラムが格納されている。データテーブル格納領域２０ｂは、受信地域に関連づけられた既定のサービスリストのデータテーブルが格納されている。プリセットリスト格納領域２０ｃは、受信動作時に使用するサービスリストをプリセットリストとして登録可能である。
【００３３】
図１に示す放送受信装置でワンセグ放送を受信する動作について説明する。
【００３４】
まず、ＣＰＵ１８は、操作部１９が放送の受信を開始する命令を受けると、フラッシュメモリ２０のプリセットリスト格納領域２０ｃに登録されているサービスリストを読み出し、ＲＡＭ２１に格納する。
【００３５】
次に、ＣＰＵ１８は、ＲＡＭ２１に格納されているサービスリストの中の任意のサービスを選択し、そのサービスの情報に基づいてチューナ１１に選局命令を送る。チューナ１１は、ＣＰＵ１８から送られる選局命令を受けると、アンテナ１０から送られる放送信号の中から所定の放送信号を選択する。チューナ１１は、選択した放送信号をデマルチプレクサ１２へ送る。デマルチプレクサ１２は、放送信号からビデオストリームとオーディオストリームとを生成する。デマルチプレクサ１２は、ビデオストリームをビデオデコーダ１３へ送り、オーディオストリームをオーディオデコーダ１４へ送る。ビデオデコーダ１３は、ビデオストリームをビデオ信号に変換し、ビデオ信号を表示器１６へ送る。表示器１６は、ビデオデコーダ１３から送られるビデオ信号に基づき、映像を表示する。一方、オーディオデコーダ１４は、オーディオストリームをオーディオ信号に変換し、オーディオ信号を増幅器１５へ送る。増幅器１５は、オーディオデコーダ１４から送られるオーディオ信号を増幅し、オーディオ信号をスピーカ１７へ送る。スピーカ１７は、増幅器１５から送られるオーディオ信号を音声に変換して放出する。
【００３６】
ＣＰＵ１８は、操作部１９がサービスを切り換える命令を受けると、ＲＡＭ２１に格納されているサービスリストにおいて現在選択されているサービスの次または前のサービスを指定する（アップダウン選局）。
【００３７】
なお、サービスの切り換え方法は、アップダウン選局の他、リストから選択する方法としてもよい。まずＣＰＵ１８は、ＲＡＭ２１に格納されているサービスリストの一覧を表示器１６に送る。表示器１６は、ＣＰＵ１８から送られるサービスリストを表示する。次に、ユーザーは、表示器１６に表示されているサービスリストを見ながら、操作部１９を操作して任意のサービスを選択する。ＣＰＵ１８は、操作部１９がサービスを選択する命令を受けると、選択されたサービスの情報に基づいて、チューナ１１に選局命令を送る。
【００３８】
〔２．受信チャンネルの設定方法〕
図２Ａは、放送受信機の受信チャンネルの設定動作を示すフローチャートである。以下、放送受信機の受信チャンネルの設定動作について説明する。
【００３９】
まず、ＣＰＵ１８は、操作部１９がチャンネルスキャンを実行する命令を受けると（Ｓ１１）、受信システム１にチャンネルスキャン命令を送る。受信システム１は、チャンネルスキャン命令に基づき、チャンネルスキャンを実行する（Ｓ１２）。具体的には、受信システム１は、チューナ１１を動作させて１３〜６２チャンネルを順次選局し、受信可能なサービス情報をＣＰＵ１８へ送る。
【００４０】
次に、ＣＰＵ１８は、受信システム１から送られるサービス情報をＲＡＭ２１へ格納し、ＲＡＭ２１に第１のサービスリストを作成する。第１のサービスリストは、チャンネルスキャンを実行することにより作成されるサービスリストである（Ｓ１３）。
【００４１】
次に、ＣＰＵ１８は、操作部１９が放送エリアを選択する命令を受けると（Ｓ１４）、選択されている放送エリアに関連づけられた第２のサービスリストを、フラッシュメモリ２０のデータテーブル格納領域２０ｂより読み出す。ＣＰＵ１８は、読み出した第２のサービスリストをＲＡＭ２１に格納する（Ｓ１５）。
【００４２】
次に、ＣＰＵ１８は、ＲＡＭ２１に格納されている第１のサービスリストと第２のサービスリストとを統合し、新たなサービスリスト（統合サービスリスト）を作成する。なお、第１のサービスリストと第２のサービスリストとの統合動作については後述する（Ｓ１６）。
【００４３】
次に、ＣＰＵ１８は、ＲＡＭ２１に格納されている統合サービスリストを、フラッシュメモリ２０のプリセットリスト格納領域２０ｃに登録する（Ｓ１７）。
【００４４】
なお、図２Ａに示す処理は、チャンネルスキャン（Ｓ１２）を実行してから、ユーザが放送エリアを選択（Ｓ１４）する処理としたが、ユーザが放送エリアを選択してからチャンネルスキャンを実行する処理としてもよい。
【００４５】
〔３．サービスリストの統合処理〕
図２Ｂは、サービスリスト統合処理の流れを示すフローチャートである。図２Ｂは、図２Ａにおける処理Ｓ１６の具体内容である。
【００４６】
まず、サービスリスト統合処理を実行すると、ＣＰＵ１８は、ＲＡＭ２１に格納されている第１のサービスリストに、複数の同名のサービスＳ１が登録されているか否かを確認する（Ｓ２１）。ＣＰＵ１８は、第１のサービスリストに複数の同名のサービスＳ１が登録されていないと判断した場合はステップＳ２３に進み、第１のサービスリストに複数の同名のサービスＳ１が登録されていると判断した場合はステップＳ２７に進む。
【００４７】
次に、ＣＰＵ１８は、第１のサービスリストと第２のサービスリストとを比較する（Ｓ２２）。
【００４８】
次に、ＣＰＵ１８は、第１のサービスリストと第２のサービスリストとに同名のサービスが登録されているか否かを判断する（Ｓ２３）。
【００４９】
次に、ＣＰＵ１８は、第１のサービスリストと第２のサービスリストとで同名のサービスが登録されていると判断した場合は、その同名のサービスそれぞれの物理チャンネルを比較する（Ｓ２４）。
【００５０】
ＣＰＵ１８は、第１のサービスリストと第２のサービスリストとにおいて同じサービスが登録され、かつそのサービスに対応した物理チャンネルが一致していると判断した場合は（Ｓ２４のＹＥＳ判断）、そのサービスを含むサービス情報を統合サービスリストに登録する（Ｓ２５）。
【００５１】
ＣＰＵ１８は、第１のサービスリストと第２のサービスリストとにおいて同じサービスが登録され、かつそのサービスに対応した物理チャンネルが互いに異なると判断した場合は（Ｓ２４のＮＯ判断）、第１のサービスリストのサービス情報を統合サービスリストに登録する（Ｓ２６）。
【００５２】
一方、ＣＰＵ１８は、第１のサービスリストに複数の同名サービスＳ１が登録されていると判断すると（Ｓ２１のＹＥＳ判断）、第２のサービスリストにサービスＳ１と同じ名称のサービスが登録されているか否かを判断する（Ｓ２７）。
【００５３】
ＣＰＵ１８は、第２のサービスリストにサービスＳ１と同名のサービスＳ２が登録されていると判断した場合は（Ｓ２７のＹＥＳ判断）、サービスＳ１に対応した物理チャンネルとサービスＳ２に対応した物理チャンネルとを比較し、物理チャンネルが一致するサービス情報を統合サービスリストに登録する（Ｓ２８）。
【００５４】
一方、ＣＰＵ１８は、第２のサービスリストにサービスＳ１と同名のサービスが登録されていないと判断した場合は（Ｓ２７のＮＯ判断）、サービスＳ１に対応したサービス情報を統合サービスリストに登録する（Ｓ２９）。
【００５５】
ＣＰＵ１８は、上記統合処理を、第１のサービスリスト及び第２のサービスリストの全てのサービス情報に対して実行する（Ｓ３０）。
【００５６】
図３Ａは、放送受信機を放送エリアＸ内の任意の受信場所に設置し、チャンネルスキャンを実行して得られた第１のサービスリストである。図３Ｂは、ユーザーによって選択された受信地域に関連づけられた第２のサービスリストである。図３Ｃは、図３Ａに示す第１のサービスリストと図３Ｂに示す第２のサービスリストとを統合した統合サービスリストである。図３Ａ〜図３Ｃは、第１の実施例を示す。
【００５７】
第１のサービスリスト（図３Ａ）と第２のサービスリスト（図３Ｂ）とは、いずれもＡ局、Ｂ局、Ｃ局、Ｄ局、Ｆ局、およびＧ局のサービス情報を含む。第１のサービスリストにおけるＩ局のサービス情報は、第２のサービスリストには登録されていない。第２のサービスリストにおけるＥ局のサービス情報は、第１のサービスリストには登録されていない。なお、「サービス情報」とは、サービス（放送局名）と物理チャンネルとを含む情報のことである。
【００５８】
図３Ａに示す第１のサービスリストと図３Ｂに示す第２のサービスリストとを図２Ｂに示すフローに基づいて統合する場合、まず、図３Ａ及び図３Ｂに示すＡ局、Ｂ局、Ｃ局、Ｄ局、Ｆ局、およびＧ局は、互いに同じサービス（放送局）で物理チャンネルも同一である。このように、第１のサービスリストと第２のサービスリストとにおいて、サービス及び物理チャンネルが一致する場合は、図３Ｃに示すように統合サービスリストにおいて一つのサービス情報に統合する。この統合処理は、図２Ｂにおける処理Ｓ２１（ＮＯ判断）、処理Ｓ２３（ＹＥＳ判断）、処理Ｓ２４（ＹＥＳ判断）、および処理Ｓ２５に基づく処理である。
【００５９】
また、図３Ａに示す第１のサービスリストにおけるＩ局のサービス情報は、図３Ｂに示す第２のサービスリストには登録されていない。このように、第１のサービスリストにのみ登録されているサービス情報は、そのまま図３Ｃに示す統合サービスリストに登録する。この統合処理は、図２Ｂにおける処理Ｓ２１（ＮＯ判断）、処理Ｓ２３（ＮＯ判断）、および処理Ｓ２５に基づく処理である。
【００６０】
また、。図３Ｂに示す第２のサービスリストにおけるＥ局のサービス情報は、図３Ａに示す第１のサービスリストには登録されていない。このように、第２のサービスリストにのみ登録されているサービス情報は、そのまま図３Ｃに示す統合サービスリストに登録する。この統合処理は、図２Ｂにおける処理Ｓ２１（ＮＯ判断）、処理Ｓ２３（ＮＯ判断）、および処理Ｓ２５に基づく処理である。
【００６１】
図４Ａは、放送受信機を放送エリアＹ内の任意の受信場所に設置し、チャンネルスキャンを実行させて得られた第１のサービスリストである。図４Ｂは、ユーザーによって選択された受信地域に関連づけられた第２のサービスリストである。図４Ｃは、図４Ａに示す第１のサービスリストと図４Ｂに示す第２のサービスリストとを統合した統合サービスリストである。図４Ａ〜図４Ｃは、第２の実施例を示す。
【００６２】
第１のサービスリスト（図４Ａ）と第２のサービスリスト（図４Ｂ）とは、いずれもＡ局、Ｂ局、Ｃ局、Ｄ局、Ｆ局、およびＧ局のサービス情報を含む。第１のサービスリストにおけるＩ局のサービス情報は、第２のサービスリストには登録されていない。第２のサービスリストにおけるＥ局のサービス情報は、第１のサービスリストには登録されていない。第１のサービスリストにおいて、Ｄ局、Ｉ局のサービス情報はそれぞれ２つ登録されている。Ｃ局のサービス情報は、第１のサービスリストと第２のサービスリストとに登録されているが、物理チャンネルが互いに異なる。
【００６３】
図４Ａに示す第１のサービスリストと図４Ｂに示す第２のサービスリストとを図２Ｂに示すフローに基づいて統合する場合、まず、Ｃ局のサービス情報は、第１のサービスリストと第２のサービスリストの両方に登録されているが、物理チャンネルが異なっている。これは、チャンネルスキャンを実行した際に、物理チャンネル「１６」では受信ができず、それとは異なる物理チャンネル「４２」で受信できたことを意味している。このように、第１のサービスリストと第２のサービスリストの両方に、物理チャンネルが互いに異なる同一サービスが登録されている場合は、統合処理において、第１のサービスリストの物理チャンネルを優先的に統合サービスリストに登録する。具体的には、図４Ｃに示すように、物理チャンネル「４２」のサービス情報を統合サービスリストの上位に配置し、物理チャンネル「１６」のサービス情報を物理チャンネル「４２」のサービス情報の下位に配置する。その理由は、チャンネルスキャンによって実際に受信できた物理チャンネルの方が、受信チャンネルの設定後も受信できる可能性がより高いためである。このように統合することによって、放送受信機でワンセグ放送を受信する際に、受信可能な物理チャンネルに対応したサービスを優先的に選択できるため、利便性を向上できる。この統合処理は、図２Ｂにおける処理Ｓ２１（ＮＯ判断）、処理Ｓ２２、処理Ｓ２３（ＹＥＳ判断）、処理Ｓ２４（ＮＯ判断）、および処理Ｓ２６に基づく処理である。
【００６４】
また、Ｄ局のサービス情報は、第１のサービスリストに２つ登録され、第２のサービスリストには１つ登録されている。第１のサービスリストに登録されているＤ局のサービス情報のうち、一方のサービス情報は物理チャンネルが「１５」で、他方のサービス情報は物理チャンネルが「３１」である。第２のサービスリストに登録されているＤ局のサービス情報は、物理チャンネルが「１５」である。このように、同一のサービスが第１のサービスリストに複数登録され、複数のサービスのうち１つのサービスに対応する物理チャンネルと第２のサービスリストに登録されているサービスに対応する物理チャンネルとが同じである場合は、物理チャンネルが一致する方のサービス情報を優先的に統合サービスリストに登録する。具体的には、図４Ｃに示すように、第１のサービスリストと第２のサービスリストとにおいて物理チャンネルが一致する「１５」のサービス情報を統合サービスリストの上位に配置する。物理チャンネルが一致しない「３１」のサービス情報は、統合サービスリストにおいて物理チャンネル「１５」のサービス情報の下位に配置する。その理由は、ユーザが選択した受信地域と実際の受信結果が一致している物理チャンネルの方がより受信しやすい可能性が高いためである。この統合処理は、図２Ｂにおける処理Ｓ２１（ＹＥＳ判断）、処理Ｓ２７（ＹＥＳ判断）、および処理Ｓ２８に基づく処理である。
【００６５】
また、Ｉ局のサービス情報は、第１のサービスリストにだけ登録されている。また、Ｉ局のサービス情報は、第１のサービスリストに複数登録され、互いに物理チャンネルが異なる。このように、第１のサービスリストにだけ複数の同一サービスが登録されている場合は、物理チャンネルの小さい方のサービス情報を優先的に統合サービスリストに登録する。具体的には、図４Ｃに示すように、２つのＩ局のサービス情報のうち、物理チャンネル「２６」のサービス情報を統合サービスリストの上位に配置する。物理チャンネルが「２６」よりも大きい物理チャンネル「２９」のサービス情報は、統合サービスリストにおいて物理チャンネル「２６」のサービス情報の下位に配置する。その理由は、主体的に使用される中継局と補助的に使用される中継局とでは、補助的に使用される中継局の方がより大きな物理チャンネルが割り当てられる傾向にあることを考慮し、主体的に使用する中継局の方が受信しやすい可能性が高いからである。この統合処理は、図２Ｂにおける処理Ｓ２１（ＹＥＳ判断）、処理Ｓ２７（ＮＯ判断）、および処理Ｓ２９に基づく処理である。
【００６６】
また、Ａ局、Ｂ局、Ｆ局、Ｇ局のサービス情報は、第１のサービスリスト及び第２のサービスリストに登録されている。第１のサービスリストにおけるＡ局、Ｂ局、Ｆ局、Ｇ局のサービス情報と、第２のサービス情報におけるＡ局、Ｂ局、Ｆ局、Ｇ局のサービス情報とは一致する。したがって、Ａ局、Ｂ局、Ｆ局、Ｇ局のサービス情報は、そのまま統合サービスリストに登録する。この統合処理は、図２Ｂにおける処理Ｓ２１（ＮＯ判断）、処理Ｓ２２、処理Ｓ２３（ＹＥＳ判断）、処理２４（ＹＥＳ判断）、処理Ｓ２５に基づく処理である。
【００６７】
また、Ｅ局のサービス情報は、第２のサービスリストにのみ登録されている。したがって、Ｅ局のサービス情報は、そのまま統合サービスリストに登録する。この統合処理は、図２Ｂにおける処理Ｓ２１（ＮＯ判断）、処理Ｓ２２、処理Ｓ２３（ＮＯ判断）、処理Ｓ２５に基づく処理である。
【００６８】
〔４．実施の形態の効果、他〕
本実施の形態によれば、チャンネルスキャン時にたまたま受信状態が悪く受信できずに登録されないような場合であっても、受信地域に関連づけられた既定のサービスリストから登録することができるとともに，既定のサービスリストに登録されていないサービスであってもその受信場所で受信できるサービスを一つのサービスリストとして登録することができる。
【００６９】
本実施の形態によれば、放送エリアの選択は、フラッシュメモリ２０のデータテーブル格納領域２０ｂに格納されている放送エリアの中から選択可能としたことにより、放送エリアに関連づけられた既定の複数のサービスリストからユーザが適切に選択することができる。
【００７０】
本実施の形態によれば、統合サービスリストをプリセットリストとしてフラッシュメモリ２０に格納する構成としたことにより、受信チャンネルを設定した後、次回使用時にチャンネル設定をする必要がなくなる。
【００７１】
本実施の形態によれば、第１のサービスリストと第２のサービスリストとにおいて、同一のサービスが同一の物理チャンネルで検出されている場合は、統合サービスリスト上では一つのサービス情報に統合する。これにより、全く同じサービス情報は重複させずにサービスリストに登録することができ、無駄がなく分かりやすいサービスリストを作成することができる。
【００７２】
本実施の形態によれば、第１のサービスリストにおいて、物理チャンネルが異なる同一のサービスが複数登録されている場合は、物理チャンネルの値が小さいサービス情報を優先登録する。これにより、同一サービスが異なる物理チャンネルで受信できたときには、統合サービスリストに登録されるサービス情報は受信可能性の高い順番に並ぶ，あるいは受信可能性のより高い物理チャンネルに集約される。したがって，わかりやすく使い勝手の良いサービスリストを作成することができる。
【００７３】
本実施の形態によれば、第１のサービスリストと第２のサービスリストとの間で、同一のサービスでかつ異なる物理チャンネルのサービスが登録されている場合は、第２のサービスリストと同一の物理チャンネルの同一サービスが第１のサービスリストに登録されていれば、このサービス情報を優先登録する。一方、第２のサービスリストと同一の物理チャンネルの同一サービスが第１のサービスリストに登録されていない場合は、第１のサービスリストにおける異なる物理チャンネルのサービス情報を優先登録する。これにより、同一サービスが異なる物理チャンネルで受信できたときには、統合サービスリストに登録されるサービス情報は受信可能性の高い順番に並ぶ，あるいは受信可能性のより高い物理チャンネルに集約される。したがって，わかりやすく使い勝手の良いサービスリストを作成することができる。
【００７４】
なお、「優先的に登録」とは、本実施の形態では統合サービスリストにおいて、優先しないサービス情報よりも上位に配置することを指している。本実施の形態では、優先しない方のサービス情報を、優先的に登録するサービス情報の下位に配置する構成としたが、優先しない方のサービス情報を統合サービスリストに登録しないようにしてもよい。
【００７５】
また、本実施の形態では、図２Ｂにおける処理Ｓ２１、Ｓ２３、およびＳ２７に示すようにサービスが同一か否かを識別しているが、ワンセグ放送の場合は、この識別には放送ストリームに含まれるネットワークＩＤもしくはサービスＩＤを用いることができる。
【００７６】
本願の放送受信機は、ワンセグ放送を受信する携帯型の放送受信機に特に有用であるが、ワンセグ放送だけでなく地上デジタル放送全般を受信する携帯型の放送受信機にも適用できる。また、地上デジタル放送だけでなく、アナログのテレビ放送、ラジオ放送にも適用することが可能である。
【産業上の利用可能性】
【００７７】
本発明は、放送受信機、放送受信方法に有用である。
【符号の説明】
【００７８】
１  受信システム
１０  アンテナ
１１  チューナ
１２  デマルチプレクサ
１３  ビデオデコーダ
１４  オーディオデコーダ
１５  増幅器
１６  表示器
１７  スピーカ
１８  ＣＰＵ
１９  操作部
２０  フラッシュメモリ
２０ａ  制御プログラム格納領域
２０ｂ  データテーブル格納領域
２０ｃ  プリセットリスト格納領域
２１  ＲＡＭ
【図１】
2010220208.tif 000003
【図２Ａ】
2010220208.tif 000004
【図２Ｂ】
2010220208.tif 000005
【図３Ａ】
2010220208.tif 000006
【図３Ｂ】
2010220208.tif 000007
【図３Ｃ】
2010220208.tif 000008
【図４Ａ】
2010220208.tif 000009
【図４Ｂ】
2010220208.tif 000010
【図４Ｃ】
2010220208.tif 000011
【図５Ａ】
2010220208.tif 000012
【図５Ｂ】
2010220208.tif 000013
【図５Ｃ】
2010220208.tif 000014